【手続補正書】
【提出日】平成15年1月21日(2003.1.21)
【手続補正１】
【補正対象書類名】明細書
【補正対象項目名】特許請求の範囲
【補正方法】変更
【補正の内容】
【特許請求の範囲】
【請求項１】
被検者の聴覚測定をテストするのに適合される聴覚測定スクリーニング装置に用いられる音響接続装置であって、
前記聴覚測定スクリーニング装置が、
第一の音響刺激を与えるための手段、及び
前記被検者の第一の耳からの第一の応答信号と、前記被検者の第二の耳からの第二の応答信号とを受信するための手段、
を含み、
当該音響接続装置が、
前記聴覚測定スクリーニング装置を実質的にシール可能に係合するための係合手段であって、前記係合手段が、前記第一の音響刺激を与えるための前記手段と、前記第一及び第二の応答信号を受信するための前記手段とに接続される少なくとも第一及び第二のインプット部材を含み、前記第一及び第二のインプット部材が、少なくとも前記第一の音響刺激を受信し、送信し、少なくとも前記第一及び第二の応答信号を前記聴覚測定スクリーニング装置へ送信する、ところの係合手段、
前記第一の音響刺激をモニタするための第一のモニタ手段であって、前記第一のモニタ手段が、前記係合手段に接続し、前記第一のモニタ手段が、少なくとも、前記第一のインプット部材に接続される第一の音響減衰器、及び前記第二のインプット部材に接続される第二の音響減衰器を含み、前記第一の音響減衰器が、前記第一の音響刺激を受信し、前記第一の音響刺激に応答して少なくとも第二の音響刺激を与えるように適合され、前記第二の音響減衰器が、前記第一の音響刺激を受信し、前記第一の音響刺激に応答して少なくとも第三の音響刺激を与えるように適合され、前記第一の減衰器が、前記第二の音響刺激を送信するように適合される第一の音響刺激アウトプットを含み、前記第二の減衰器が、前記第三の音響刺激を送信するように適合される第二の音響刺激アウトプットを含む、ところの第一のモニタ手段、
少なくとも前記第一及び第二の応答信号をモニタするための第二のモニタ手段であって、前記第二のモニタ手段が、前記第一の応答信号を受信するための第一の応答信号インプット手段、及び前記第二の応答信号を受信するための第二の応答信号インプット手段を含み、前記第二のモニタ手段が、前記第一の応答信号に応答して少なくとも第一の信号を前記第二のモニタ手段へ与えるように適合される前記第二のモニタ手段に接続される第一のマイクロホーン手段、及び前記第二の応答信号に応答して少なくとも第二の信号を前記第二のモニタ手段へ与えるように適合される前記第二のモニタ手段に接続される第二のマイクロホーン手段を含む、ところの第二のモニタ手段、及び
前記第一の耳の空洞付近に配列されるように適合される第一のイアピースと、前記第二の耳の空洞付近に配列されるように適合される第二のイアピースであって、前記第一のイアピースが、前記第二の音響刺激と前記第一の応答信号とを受信するように適合される前記第一の音響刺激アウトプットに接続される第一の刺激インプットを含み、前記第一のイアピースが、さらに、少なくとも前記第一の応答信号を受信するように適合される第一の応答信号アウトプットを含み、前記第一の応答信号アウトプットが、前記第一の応答信号インプット手段に接続され、前記第二のイアピースが、前記第三の音響刺激と前記第二の応答信号とを受信するように適合される前記第二の音響刺激アウトプットに接続される第二の刺激インプットを含み、前記第二のイアピースが、さらに、少なくとも第二の応答信号を受信するように適合される第二の応答信号アウトプットを含み、前記第二の応答信号アウトプットが、前記第二の応答信号インプット手段に接続される、ところの第一及び第二のイアピース、
を含む装置。
【請求項２】
請求項１の装置であって、
前記第二の音響刺激及び前記第三の音響刺激が、実質的に等しい振幅を有する、ところの装置。
【請求項３】
請求項１の装置であって、
前記第一の音響減衰器が、前記第一の音響刺激の振幅において少なくとも第一のリダクションを与え、前記第二の音響減衰器が、前記第一の音響刺激の振幅において第二のリダクションを与える、
ところの装置。
【請求項４】
請求項３の装置であって、前記第一の刺激の振幅における前記第一及び第二のリダクションが実質的に等しい、
ところの装置。
【請求項５】
請求項１の装置であって、
当該装置が、当該装置の起動を少なくとも制御するための制御手段を含む、
ところの装置。
【請求項６】
請求項５の装置であって、
前記第一及び第二の減衰器のうちの少なくとも一つが、前記第一の刺激の有無を検出する第三のマイクロホーンを含み、前記第三のマイクロホーンが、前記第一の音響刺激の有無に応答して少なくとも第三の信号を前記制御手段に与えるように適合される、
ところの装置。
【請求項７】
請求項１の装置であって、
前記第二のモニタ手段が、許容できる刺激振幅を指示する少なくとも前記第一の応答信号に応答して少なくとも第四の信号を与え、許容できない刺激振幅を指示する少なくとも前記第一の応答信号に応答して少なくとも第五の信号を与える、
ところの装置。
【請求項８】
請求項７の装置であって、
前記第二のモニタ手段が、許容できる刺激振幅を指示する少なくとも前記第二の応答信号に応答して少なくとも第六の信号を与え、許容できない刺激振幅を指示する少なくとも前記第二の応答信号に応答して少なくとも第七の信号を与える、
ところの装置。
【請求項９】
請求項８の装置であって、
当該装置が、前記第四、第五、第六及び第七の信号に応答して少なくとも前記第一及び第二の応答信号の可視的な指示を与えるためのディスプレイ手段を含み、前記ディスプレイ手段が前記第二のモニタ手段に接続される、ところの装置。
【請求項１０】
被検者の聴覚測定をテストするように適合された聴覚測定スクリーニング装置に用いられる音響接続装置であって、
前記聴覚測定スクリーニング装置が、音響刺激を与えるように適合され、
当該音響接続装置が、
前記聴覚測定スクリーニング装置を係合するための係合手段であって、前記係合手段が、前記音響刺激を受信し、少なくとも一つの応答信号を前記被検者から前記聴覚測定スクリーニング装置へ送信するように適合される、ところの係合手段、
前記音響刺激をモニタするための刺激モニタ手段であって、前記刺激モニタ手段が、前記係合手段に接続される、ところの刺激モニタ手段、
前記被検者の少なくとも一方の耳の空洞付近に配列されるように適合される少なくとも第一のイアピースであって、前記イアピースが、前記音響刺激を受信するように適合される前記係合手段に接続される刺激インプットを含み、前記刺激インプットが、さらに、前記応答信号を受信し、前記係合手段へ送信するように適合され、前記イアピースが、さらに、前記応答信号を受信し、送信するように適合される応答信号アウトプットを含む、ところの第一のイアピース、及び
前記応答信号をモニタするための応答信号モニタ手段であって、前記応答信号モニタ手段が前記応答信号アウトプットに接続される、ところの応答信号モニタ手段、
を含む音響接続装置。
【請求項１１】
被検者の聴覚測定をテストするように適合される聴覚測定スクリーニング装置に用いられる音響接続装置であって、
前記聴覚測定スクリーニング装置が、
第一の音響刺激を与えるための手段、及び
前記被検者の第一の耳から第一の応答信号を受信し、前記被検者の第二の耳から第二の応答信号を受信するための手段、
を含み、
当該装置が、
前記聴覚測定スクリーニング装置を実質的にシール可能に係合するための係合手段であって、前記係合手段が、前記第一の音響刺激を与えるための前記手段と、前記第一及び第二の応答信号を受信するための前記手段とに接続される少なくとも第一及び第二のインプット部材を含み、前記第一及び第二のインプット部材が、少なくとも前期第一の音響刺激を受信し、送信し、少なくとも前記第一及び第二の応答信号を前記聴覚測定スクリーニング装置へ送信する、ところの係合手段、
第二の音響刺激を与えるための第一の信号生成器であって、前記第一の信号生成器が、前記第二の音響刺激を送信するように適合される第一の音響刺激アウトプットを含む、ところの第一の信号生成器、
第三の音響刺激を与えるための第二の信号生成器であって、前記第二の信号生成器が、前記第三の音響刺激を送信するように適合される第二の音響刺激アウトプットを含む、ところの第二の信号生成器、
前記第一の音響刺激をモニタするための第一のモニタ手段であって、前記モニタ手段が、前記係合手段に接続され、前記第一のモニタ手段が、少なくとも、前記第一のインプット部材に接続される第一の音響減衰器、及び前記第二のインプット部材に接続される第二の音響減衰器を含み、前記第一の減衰器が、前記第一の音響刺激を受信し、前記第一の音響刺激に応答して少なくとも第一の信号を与えるように適合され、前記第二の減衰器が、前記第一の音響刺激を受信し、前記第一の音響刺激に応答して少なくとも第二の信号を与えるように適合される、ところの第一のモニタ手段、
前記第二及び第三の音響刺激を規制するための規制手段であって、前記規制手段が、前記第一及び第二の音響減衰器と前記第一及び第二の信号生成器とに接続され、前記規制手段が、前記第一の信号に応答して少なくとも第三の信号を前記第一の信号生成器へ与え、前記第二の信号に応答して少なくとも第四の信号を前記第二の信号生成器へ与え、前記第三の信号に応答して少なくとも前記第二の音響刺激を与えるように適合され、前記第二の信号生成器が、前記第四の信号に応答して少なくとも前記第三の音響刺激を与えるように適合される、ところの規制手段、
少なくとも前記第一及び第二の応答信号をモニタするための第二のモニタ手段であって、前記第二のモニタ手段が、前記第一の応答信号を受信するための第一の応答信号インプット手段、及び前記第二の応答信号を受信するための第二の応答信号インプット手段を含み、前記第二のモニタ手段が、前記第一の応答信号に応答して少なくとも第五の信号を前記第二のモニタ手段へ与えるように適合される前記第二のモニタ手段に接続される第一のマイクロホーン、及び前記第二の応答信号に応答して少なくとも第六の信号を前記第二のモニタ手段へ与えるように適合される前期第二のモニタ手段に接続される第二のマイクロホーンを含む、ところの第二のモニタ手段、及び
前記第一の耳の空洞付近に配列されるように適合される第一のイアピースと、前記第二の耳の空洞付近に配列されるように適合される第二のイアピースであって、前記第一のイアピースが、前記第二の音響刺激と前記第一の応答信号とを受信するように適合される前記第一の音響刺激アウトプットに接続される第一の刺激インプットを含み、前記第一のイアピースが、さらに、少なくとも前記第一の応答信号を受信するように適合される第一の応答信号アウトプットを含み、前記第一の応答信号アウトプットが、前記第一の応答信号インプット手段に接続され、前記第二のイアピースが、前記第三の音響刺激と前記第二の応答信号とを受信するように適合される前記第二の音響刺激アウトプットに接続される第二の刺激インプットを含み、前記第二のイアピースが、さらに、少なくとも第二の応答信号を受信するように適合される第二の応答信号アウトプットを含み、前記第二の応答信号アウトプットが、前記第二の応答信号インプット手段に接続される、ところの第一及び第二のイアピース、
を含む装置。
【請求項１２】
請求項１１の装置であって、
前記第二の音響刺激及び前記第三の音響刺激が、実質的に等しい振幅を有する、ところの装置。
【請求項１３】
請求項１１の装置であって、
前記第一の音響減衰器が、前記第一の音響刺激の振幅において少なくとも第一のリダクションを与え、前記第二の音響減衰器が、前記第一の音響刺激の振幅において第二のリダクションを与える、
ところの装置。
【請求項１４】
請求項１３の装置であって、前記第一の刺激の振幅における前記第一及び第二のリダクションが実質的に等しい、
ところの装置。
【請求項１５】
請求項１１の装置であって、
当該装置が、当該装置の起動を少なくとも制御するための制御手段を含む、
ところの装置。
【請求項１６】
請求項１５の装置であって、
前記第一及び第二の減衰器のうちの少なくとも一つが、前記第一の音響刺激の有無を検出する第三のマイクロホーンを含み、前記第三のマイクロホーンが、前記第一の音響刺激の有無に応答して少なくとも第三の信号を前記制御手段に与えるように適合される、
ところの装置。
【請求項１７】
請求項１１の装置であって、
前記第二のモニタ手段が、許容できる刺激振幅を指示する少なくとも前記第一の応答信号に応答して少なくとも第四の信号を与え、許容できない刺激振幅を指示する少なくとも前記第一の応答信号に応答して少なくとも第五の信号を与える、
ところの装置。
【請求項１８】
請求項１７の装置であって、
前記第二のモニタ手段が、許容できる刺激振幅を指示する少なくとも前記第二の応答信号に応答して少なくとも第六の信号を与え、許容できない刺激振幅を指示する少なくとも前記第二の応答信号に応答して少なくとも第七の信号を与える、
ところの装置。
【請求項１９】
請求項１８の装置であって、
当該装置が、前記第四、第五、第六及び第七の信号に応答して少なくとも前記第一及び第二の応答信号の可視的な指示を与えるためのディスプレイ手段を含み、前記ディスプレイ手段が前記第二のモニタ手段に接続される、ところの装置。
【請求項２０】
被検者の聴覚測定をテストするように適合された聴覚測定スクリーニング装置に用いられる音響接続装置であって、
前記聴覚測定スクリーニング装置が、音響刺激を与えるように適合され、
当該音響接続装置が、
前記聴覚測定スクリーニング装置を係合するための係合手段であって、前記係合手段が、前記音響刺激を受信し、ｓｙ句無くとも一つの応答信号を前記被検者から前記聴覚測定スクリーニング装置へ送信するように適合される、ところの係合手段、
前記音響刺激をモニタするための刺激モニタ手段であって、前記刺激モニタ手段が、前記係合手段に接続される、ところの刺激モニタ手段、
前記第一の音響刺激に応答して第二の音響刺激を与えるための刺激規制手段であって、前記刺激規制手段が、前記刺激モニタ手段に接続される、ところの刺激規制手段
前記被検者の少なくとも一方の耳の空洞付近に配列されるように適合される少なくとも第一のイアピースであって、前記イアピースが、前記第二の音響刺激を受信するように適合される前記係合手段及び前記刺激規制手段に接続される刺激インプットを含み、前記刺激インプットが、さらに、前記応答信号を受信し、前記係合手段へ送信するように適合され、前記イアピースが、さらに、前記応答信号を受信し、送信するように適合される応答信号アウトプットを含む、ところの第一のイアピース、及び
前記応答信号をモニタするための応答信号モニタ手段であって、前記応答信号モニタ手段が前記応答信号アウトプットに接続される、ところの応答信号モニタ手段、
を含む音響接続装置。